(57)【要約】【課題】ボール数を増加させて負荷容量を増大させることができ、しかも保持器の強度の向上を図ることできるタンデム型複列アンギュラ玉軸受およびこのようなタンデム型複列アンギュラ玉軸受を用いたデファレンシャル装置を提供する。【解決手段】タンデム型複列アンギュラ玉軸受は、複列の軌道面１１ａ、１１ｂを有する内輪１２と、この内輪１２の軌道面１１ａ、１１ｂと対応する複列の軌道面１３ａ、１３ｂを有する外輪１４と、内輪１２および外輪１４の各列の軌道面１１ａ、１１ｂ、１３ａ、１３ｂ間に、それぞれ異なるピッチ円直径をもって介装される複列の玉群１５、１６と、玉群１５、１６の各ボール２７、２８を保持する樹脂製保持器１９、２０とを備える。樹脂製保持器１９、２０を構成する樹脂に樹脂強化材を３０重量％以上７０重量％以下で充填した。【選択図】図１
2009058007.tif 000002
【特許請求の範囲】
【請求項１】
複列の軌道面を有する内輪と、この内輪の軌道面と対応する複列の軌道面を有する外輪と、内輪および外輪の各列の軌道面間に、それぞれ異なるピッチ円直径をもって介装される複列の玉群と、玉群の各ボールを保持する樹脂製保持器とを備えたタンデム型複列アンギュラ玉軸受において、
樹脂製保持器を構成する樹脂に樹脂強化材を３０重量％以上７０重量％以下で充填したことを特徴とするタンデム型複列アンギュラ玉軸受。
【請求項２】
複列の軌道面を有する内輪と、この内輪の軌道面と対応する複列の軌道面を有する外輪と、内輪および外輪の各列の軌道面間に、それぞれ異なるピッチ円直径をもって介装される複列の玉群と、玉群の各ボールを保持する樹脂製保持器とを備えたタンデム型複列アンギュラ玉軸受において、
樹脂製保持器を構成する樹脂に樹脂強化材を５０重量％以上７０重量％以下で充填したことを特徴とするタンデム型複列アンギュラ玉軸受。
【請求項３】
樹脂強化材が炭素繊維であることを特徴とする請求項１又は請求項２に記載のタンデム型複列アンギュラ玉軸受。
【請求項４】
樹脂強化材がガラス繊維であることを特徴とする請求項１又は請求項２に記載のタンデム型複列アンギュラ玉軸受。
【請求項５】
保持器は、ボールを保持するポケットを有する窓型であることを特徴とする請求項１〜請求項４のいずれかに記載のタンデム型複列アンギュラ玉軸受。
【請求項６】
デファレンシャルケースと、このデファレンシャルケース内に配置される差動減速機構と、差動減速機構のリングギヤに噛合するピニオンギヤと、ピニオンギヤを支持するピニオン軸とを備えたデファレンシャル装置であって、
前記ピニオン軸が前記請求項１〜請求項５に記載のいずれかのタンデム型複列アンギュラ玉軸受にてデファレンシャルケース内に回転自在に支持されていることを特徴とするデファレンシャル装置。
【発明の詳細な説明】
【技術分野】
【０００１】
本発明は、タンデム型複列アンギュラ玉軸受及びデファレンシャル装置に関する。
【背景技術】
【０００２】
軸受には、ラジアル荷重と一方向のアキシアル荷重を負荷することができるアンギュラ玉軸受がある。玉（ボール）と内輪・外輪とは接触角をもっており、接触角が大きくなるほどアキシアル荷重の負荷能力が大きくなり、接触角が小さいほど、高速回転に有利となる。
【０００３】
ところで、転がり抵抗を低減するために、円すいころ軸受に代わるものとして複列アンギュラ玉軸受（タンデム型）がある（特許文献１）。また、このタンデム型複列アンギュラ玉軸受を自動車のトランスファに使用したものがある（特許文献２）。なお、トランスファとは、４ＷＤ車で、トランスミッションから来る動力を前後輪に分けて伝える装置であり、通常はデファレンシャル装置（差動装置）も一緒に組み込まれており、これを総称してセンターデフと呼んでいる。また、複列アンギュラ玉軸受とは、単列アンギュラ玉軸受を背面組合せとし、内輪、外輪をそれぞれ一体にした構造で、両方向のアキシアル荷重を負荷することができ、しかも、モーメント荷重に対する負荷能力がある軸受である。
【０００４】
タンデム型複列アンギュラ玉軸受は、図４に示すように、複列の軌道面１ａ、１ｂを有する内輪２と、この内輪２の軌道面１ａ、１ｂと対応する複列の軌道面３ａ、３ｂを有する外輪４と、内輪２および外輪４の各列の軌道面１ａ、１ｂ、３ａ、３ｂ間に介装される複列の玉群５、６とを備える。複列の玉群５、６は、それぞれ異なるピッチ円直径をもっている。また、各玉群５、６のボール７，８は内輪２と外輪４との間に配置される保持器９，１０に保持されている。
【０００５】
前記特許文献２に記載のデファレンシャル装置は、図５に示すように、デファレンシャルケース１０１と、このデファレンシャルケース１０１内に配置される差動減速機構（図外）と、差動減速機構のリングギヤ（図外）に噛合するピニオンギヤ１０４と、ピニオンギヤ１０４を支持するピニオン軸１０５とを備え、ピニオン軸１０５が軸受１０６、１０７を介して回転自在にデファレンシャルケース１０１内に支持されている。
【０００６】
そして、軸受１０６、１０７にそれぞれタンデム型複列アンギュラ玉軸受を使用している。ピニオンギヤ１０４側に配設される一方の軸受１０６は、内輪２の大径側端面２ａ（外輪４よりもピニオンギヤ１０４側に突出している端面）がピニオンギヤ１０４の端面１０４ａに圧接するとともに、外輪４の反ピニオンギヤ側の端面４ａがケース１０１の内面に形成された段差面１０８に圧接している。
【０００７】
他方の軸受１０７は、内輪２の大径側端面２ａ（外輪４よりも反ピニオンギヤ側に突出している端面）がピニオンフランジ１００の端縁１００ａに圧接するとともに、外輪４のピニオンギヤ側の端面４ａがケース１０１の内面に形成された段差面１０９に圧接している。また、ピニオン軸１０５は、そのピニオンギヤ１０４側は大径とされて段差部１０５ａが形成され、この段差部１０５ａと他方の軸受１０７の内輪２との間にスリーブ１１０が介在されている。
【０００８】
この場合、ピニオン軸１０５の端部のねじ部１１１にナット部材（図示省略）を螺合することによって、ピニオンフランジ１００を介して軸受１０６、１０７に予圧を付与することになる。すなわち、軸受１０６、１０７に予圧を付与することによって、軸受支持構
造の剛性が増し、ピニオン軸１０５の位置が安定してリングギヤとの噛み合いが良好となる。
【特許文献１】特許第１８１５４７号
【特許文献２】特開２００４−１８３７４５号公報
【発明の開示】
【発明が解決しようとする課題】
【０００９】
タンデム型複列アンギュラ玉軸受は、内輪２とボール７、８と保持器９、１０とのアセンブリ体と、外輪４とが分離できる構造となっているので、その取り扱いは円すいころ軸受と同様であり、デファレンシャルへの組込み性及び、取扱い性に変更はない。そこで、低トルク化を目的に円すいころ軸受に代えてこのタンデム型複列アンギュラ玉軸受が使用される。
【００１０】
しかしながら、玉軸受はころ軸受に対し、トルク面で有利であるが、負荷容量は大幅に低下するため、以下の問題点が挙げられる。円すいころ軸受と同じ大きさのタンデム型複列アンギュラ玉軸受とすれば負荷容量が低下する。円すいころ軸受と同じ負荷容量のタンデム型複列アンギュラ玉軸受とすれば、サイズが大きくなる。
【００１１】
本発明は、上記課題に鑑みて、ボール数を増加させて負荷容量を増大させることができ、しかも保持器の強度の向上を図ることできるタンデム型複列アンギュラ玉軸受およびこのようなタンデム型複列アンギュラ玉軸受を用いたデファレンシャル装置を提供する。
【課題を解決するための手段】
【００１２】
本発明の一のタンデム型複列アンギュラ玉軸受は、複列の軌道面を有する内輪と、この内輪の軌道面と対応する複列の軌道面を有する外輪と、内輪および外輪の各列の軌道面間に、それぞれ異なるピッチ円直径をもって介装される複列の玉群と、玉群の各ボールを保持する樹脂製保持器とを備えたタンデム型複列アンギュラ玉軸受において、樹脂製保持器を構成する樹脂に樹脂強化材を３０重量％以上７０重量％以下で充填したものである。
【００１３】
本発明の一のタンデム型複列アンギュラ玉軸受によれば、樹脂製保持器を構成する樹脂に樹脂強化材を３０重量％以上７０重量％以下で充填したものであるので、保持器の強度を向上させることができる。このため、ボールを保持しているポケット間の柱部の厚さ寸法が小であっても、保持器としての強度を維持できる。したがって、ポケット間の柱部の肉厚を小とすることによって、ポケット数を増加させることができてボール数の増加が可能となる。
【００１４】
本発明の他のタンデム型複列アンギュラ玉軸受は、複列の軌道面を有する内輪と、この内輪の軌道面と対応する複列の軌道面を有する外輪と、内輪および外輪の各列の軌道面間に、それぞれ異なるピッチ円直径をもって介装される複列の玉群と、玉群の各ボールを保持する樹脂製保持器とを備えたタンデム型複列アンギュラ玉軸受において、樹脂製保持器を構成する樹脂に樹脂強化材を５０重量％以上７０重量％以下で充填したものである。
【００１５】
樹脂製保持器を構成する樹脂に樹脂強化材を５０重量％以上７０重量％以下で充填したものであるので、保持器の一層の強度向上を図ることができる。このため、ボール数の増加が安定して可能となる。
【００１６】
樹脂強化材が炭素繊維やガラス繊維等の繊維強化プラスチック（Ｆｉｂｅｒ  Ｒｅｉｎｆｏｒｃｅｄ  Ｐｌａｓｔｉｃｓ：ＦＲＰ）であってもよい。ここで、炭素繊維とは、アクリル繊維またはピッチ（石油、石炭、コールタールなどの副生成物）を原料に高温で炭化して作った繊維である。前者の原料を使った炭素繊維はＰＡＮ（Ｐｏｌｙａｃｒｙｌｏｎｉｔｒｉｌｅ）、後者を使った炭素繊維はＰＩＴＣＨと区分される。広義の意味で炭素の集合体である。グラファイトの結合により高い強度を得ている。グラファイトとは、炭素から成る元素鉱物である。炭素繊維は、耐摩耗性、耐熱性、熱伸縮性、耐酸性、電気伝導性、耐引張力などに優れ、アルミニウムなどの金属に比べても軽量である利点がある。また、ガラス繊維とは、溶融したガラスを細く引き伸ばし急冷固化して作られた繊維状材料である。繊維形式によって長繊維、短繊維に分類され、また組成によってアルカリガラス繊維と含アルカリガラス繊維に大別される。ガラス繊維は、耐食性，耐熱性，耐湿性，電気絶縁性に優れる。このため、樹脂に炭素繊維やガラス繊維を混ぜることで、軽量かつ強度のある素材となる。
【００１７】
保持器は、ボールを保持するポケットを有する窓型であるのが好ましい。
【００１８】
本発明のデファレンシャル装置は、デファレンシャルケースと、このデファレンシャルケース内に配置される差動減速機構と、差動減速機構のリングギヤに噛合するピニオンギヤと、ピニオンギヤを支持するピニオン軸とを備えたデファレンシャル装置であって、前記ピニオン軸が前記記載のいずれかのタンデム型複列アンギュラ玉軸受にてデファレンシャルケース内に回転自在に支持されているものである。
【発明の効果】
【００１９】
本発明のタンデム型複列アンギュラ玉軸受では、ボール数の増加（玉充填率向上）が可能となって、負荷容量を増大させることができる。この場合、玉充填率が上がることで、保持器スペースが標準品と比較して小さくなるので、保持器の柱部の幅（肉厚）が小さくなり（絶対肉厚が減少し）、強度が低下する。しかしながら、樹脂強化材を３０重量％以上充填することによって、保持器として使用できる強度を維持でき、安定したボールの保持が可能である。なお、樹脂強化材の充填量（充填率）が７０重量％を越えれば、脆化して（延性が低下して）脆くなるので、樹脂強化材の充填量を７０重量％以下とする。
【００２０】
樹脂強化材が炭素繊維やガラス繊維等であってもよく、これらによって、使用する樹脂が軽量かつ強度のある素材となる。このため、保持器の強度向上を安定して図ることができる。
【００２１】
保持器を窓型とすることによって、ポケット間の柱部の幅寸法を大きく（厚く）することができ、保持器の強度向上を図ることができる。しかも、深溝玉軸受のようないわゆる「かちこみ」が不要となり、窓型の保持器はアンギュラ玉軸受の保持器に好適である。
【００２２】
本発明のデファレンシャル装置では、負荷容量が増大するとともに、保持器としての強度を維持できて長期にわたって安定してその機能を発揮することができるタンデム型複列アンギュラ玉軸受を用いるので、安定した機能を発揮するデファレンシャル装置を提供できる。
【発明を実施するための最良の形態】
【００２３】
以下本発明の実施の形態を図１と図２に基づいて説明する。
【００２４】
図２に本発明にかかるデファレンシャル装置を示し、このデファレンシャル装置は、デファレンシャルケース５１と、このデファレンシャルケース５１内に配置される差動減速機構５２と、差動減速機構５２のリングギヤ５３に噛合するピニオンギヤ５４と、ピニオンギヤ５４を支持するピニオン軸５５とを備え、ピニオン軸５５が軸受５６、５７を介して回転自在にデファレンシャルケース５１内に支持されている。
【００２５】
軸受５６、５７としては、図１に示すタンデム型複列アンギュラ玉軸受を使用している。軸受５６、５７は、それぞれ複列の軌道面１１ａ、１１ｂを有する内輪１２と、この内輪１２の軌道面１１ａ、１１ｂと対応する複列の軌道面１３ａ、１３ｂを有する外輪１４と、内輪１２および外輪１４の各列の軌道面１１ａ、１１ｂ、１３ａ、１３ｂ間に介装される複列の玉群１５、１６とを備える。玉群１５、１６はそれぞれ異なるピッチ円直径Ｐ１、Ｐ２をもっている。この場合、Ｐ１＞Ｐ２とされる。
【００２６】
内輪１２は、その外径面に第１切欠部２１が形成されるとともに、この第１切欠部２１に第２切欠部２２が形成される。そして、第１切欠部２１に前記軌道面１１ａが形成され、第２切欠部２２に前記軌道面１１ｂが形成されている。
【００２７】
外輪１４は、その内径面に第１切欠部２４が形成されるとともに、この第１切欠部２４に第２切欠部２５が形成される。第１切欠部２４に前記軌道面１３ｂが形成され、第２切欠部２５に前記軌道面１３ａが形成されている。
【００２８】
玉群１５、１６のボール２７はそれぞれ保持器１９、２０にて保持される。保持器１９、２０は、周方向に沿って所定ピッチでポケット３０，３１が形成された短円筒体からなり、各ポケット３０，３１に玉群１５，１６を構成するボール（鋼球）２７，２８が保持される。すなわち、各保持器１９、２０は、大径円環部３２、３３と小径円環部３４、３５と、大径円環部３２、３３と小径円環部３４、３５とを連結する仕切壁３６、３７とからなる。仕切壁３６、３７は、円周方向に沿って所定ピッチで配置され、各仕切壁３６、３７間が前記ポケット３０，３１となる。
【００２９】
図２に示すように、ピニオンギヤ５４側に配設される一方の軸受５６は、ピニオン軸５５のピニオンギヤ５４の端面５４aに軸受５６の内輪１２の端部３３、つまり端面１２aが圧接するとともに、外輪１４の反ピニオンギヤ側の端面１４ａがケース５１の内面に形成された段差面５８に圧接している。
【００３０】
他方の軸受５７は、内輪１２の端部３３、つまり端面１２a（反フランジ側の端面）がピニオンフランジ５０の端縁５０aに圧接するとともに、外輪１４のピニオンギヤ側の端面１４ａがケース５１の内面に形成された段差面５９に圧接している。また、一方の軸受５６と他方の軸受５７の内輪１２との間にスリーブ６０が介在されている。
【００３１】
この場合、ピニオン軸５５の端部のねじ部６１にナット部材６２を螺合することによって、ピニオンフランジ５０を介して軸受５６、５７に予圧を付与することになる。
【００３２】
この保持器１９、２０は、前記したように、円周方向の所定ピッチで窓部を有するいわゆる窓型であって、樹脂保持器である。この樹脂としてはエンジニアリングプラスチックが好ましい。ここで、エンジニアリングプラスチックとは、合成樹脂のなかで主に耐熱性が優れ、強度が必要とされる分野に使うことができるものであって、エンプラと略される。また、エンジニアリングプラスチックは、汎用エンジニアリングプラスチックとスーパエンジニアリングプラスチックとがあり、この保持器１９、２０に用いるエンジニアリングプラスチックには両者を含む。以下に代表的なものを掲げる。なお、これらはエンジニアリングプラスチックの例示であって、エンジニアリングプラスチックが以下のものに限定されるものではない。また、この樹脂保持器１９、２０では、例えば射出成形にて形成することができる。
【００３３】
汎用エンジニアリングプラスチックには、ポリカーボネート（ＰＣ）、ポリアミド６（ＰＡ６）、ポリアミド６６（ＰＡ６６）、ポリアセタール（ＰＯＭ）、変性ポリフェニレンエーテル（ｍ−ＰＰＥ）、ポリブチレンテレフタレート（ＰＢＴ）、ＧＦ強化ポリエチレンテレフタレート（ＧＦ−ＰＥＴ）、超高分子量ポリエチレン（ＵＨＭＷ−ＰＥ）等がある。また、スーパーエンジニアリングプラスチックには、ポリサルホン（ＰＳＦ）、ポリエーテルサルホン（ＰＥＳ）、ポリフェニレンサルファイド（ＰＰＳ）、ポリアリレート（ＰＡＲ）、ポリアミドイミド（ＰＡＩ）、ポリエーテルイミド（ＰＥＩ）、ポリエーテルエーテルケトン（ＰＥＥＫ）、液晶ポリマー（ＬＣＰ）、熱可塑性ポリイミド（ＴＰＩ）、ポリベンズイミダゾール（ＰＢＩ）、ポリメチルベンテン（ＴＰＸ）、ポリ１，４−シクロヘキサンジメチレンテレフタレート（ＰＣＴ）、ポリアミド４６（ＰＡ４６）、ポリアミド６Ｔ（ＰＡ６Ｔ）、ポリアミド９Ｔ（ＰＡ９Ｔ）、ポリアミド１１，１２ （
ＰＡ１１，１２）、フッ素樹脂、ポリフタルアミド（ＰＰＡ）等がある。
【００３４】
樹脂製保持器を構成する樹脂に樹脂強化材を３０重量％以上７０重量％以下で充填している。ここで、樹脂強化材が炭素繊維（ＣＦ）やガラス繊維（ＧＦ）等の繊維強化プラスチック（Ｆｉｂｅｒ  Ｒｅｉｎｆｏｒｃｅｄ  Ｐｌａｓｔｉｃｓ：ＦＲＰ）であってもよい。ここで、炭素繊維とは、アクリル繊維またはピッチ（石油、石炭、コールタールなどの副生成物）を原料に高温で炭化して作った繊維である。前者の原料を使った炭素繊維はＰＡＮ（Ｐｏｌｙａｃｒｙｌｏｎｉｔｒｉｌｅ）、後者を使った炭素繊維はＰＩＴＣＨと区分される。広義の意味で炭素の集合体である。グラファイトの結合により高い強度を得ている。グラファイトとは、炭素から成る元素鉱物である。炭素繊維は、耐摩耗性、耐熱性、熱伸縮性、耐酸性、電気伝導性、耐引張力などに優れ、アルミニウムなどの金属に比べても軽量である利点がある。また、ガラス繊維とは、溶融したガラスを細く引き伸ばし急冷固化して作られた繊維状材料である。繊維形式によって長繊維、短繊維に分類され、また組成によってアルカリガラス繊維と含アルカリガラス繊維に大別される。ガラス繊維は、耐食性，耐熱性，耐湿性，電気絶縁性に優れる。このため、樹脂に炭素繊維やガラス繊維を混ぜることで、軽量かつ強度のある素材となる。
【００３５】
本発明のタンデム型複列アンギュラ玉軸受では、保持器１９、２０を構成する樹脂に樹脂強化材を３０重量％以上７０重量％以下で充填したものであるので、保持器１９、２０の強度を向上させることができる。このため、ボール２７、２８を保持しているポケット間の柱部の厚さ寸法が小であっても、保持器１９、２０としての強度を維持できる。したがって、ポケット間の柱部の肉厚を小とすることによって、ポケット数を増加させることができてボール数の増加が可能となる。すなわち、玉充填率が上がることで、保持器スペースが標準品と比較して小さくなるので、保持器１９、２０の柱部の幅（肉厚）が小さくなり（絶対肉厚が減少し）、強度が低下する。しかしながら、樹脂強化材を３０重量％以上充填することによって、保持器１９、２０として使用できる強度を維持でき、安定したボール２７、２８の保持が可能である。なお、樹脂強化材の充填量（充填率）が７０重量％を越えれば、脆化して（延性が低下して）脆くなるので、樹脂強化材の充填量を７０重量％以下とする。
【００３６】
樹脂強化材が炭素繊維であっても、ガラス繊維であってもよく、これらによって、使用する樹脂が軽量かつ強度のある素材となる。このため、保持器の強度向上を安定して図ることができる。
【００３７】
また、保持器１９、２０を窓型とすることによって、ポケット間の柱部の幅寸法を大きく（厚く）することができ、保持器１９、２０の強度向上を図ることができる。しかも、深溝玉軸受のようないわゆる「かちこみ」が不要となり、窓型の保持器はアンギュラ玉軸受の保持器に好適である。
【００３８】
本発明のデファレンシャル装置では、負荷容量が増大するとともに、保持器１９、２０としての強度を維持できて長期にわたって安定してその機能を発揮することができるタンデム型複列アンギュラ玉軸受を用いるので、安定した機能を発揮するデファレンシャル装置を提供できる。
【００３９】
樹脂製保持器を構成する樹脂に樹脂強化材を５０重量％以上７０重量％以下で充填したものであってもよい。このように、樹脂強化材が５０重量％以上であれば、保持器の一層の強度向上を図ることができる。このため、ボール数の増加が安定して可能となる。
【００４０】
以上、本発明の実施形態につき説明したが、本発明は前記実施形態に限定されることなく種々の変形が可能であって、例えば、玉群１５，１６のボール２７、２８の数、球径等は、同一球径であれば、任意に変更できる。なお、このタンデム型複列アンギュラ玉軸受は、負荷容量を下げることなく、コンパクト化を達成できるものであるので、種々の機械、装置、工具等に使用することができる。さらに、玉群１５、１６の各ピッチ円直径Ｐ１、Ｐ２の差も、使用する機械、装置、工具等に応じて種々変更できる。
【００４１】
充填する強化材としては、ＣＦやＧＦ以外に、強度の高い樹脂繊維であるアラミド繊維等であってもよい。ここで、アラミド繊維とは、その分子骨格が芳香族(ベンゼン環)からなるポリアミド繊維(ａｒｏｍａｔｉｃ  ｐｏｌｙａｍｉｄｅ  ｆｉｂｅｒ)である。
【実施例】
【００４２】
次に実施例１を示す。この実施例１は、強化材の充填率と引っ張り強度との関係を調べた。この場合、次の表１に示すようなサンプル（試験片）ａ、ｂ、ｃ、ｄの引っ張り強度を調べた。サンプルａは強化材の充填率が１０重量％であり、サンプルｂは強化材の充填率が２５重量％であり、サンプルｃは強化材の充填率が３０重量％であり、サンプルｄは強化材の充填率が５０重量％である。なお、樹脂としては、ＰＡ６６(ポリアミド６６=ナイロン６６)を使用し、強化材としては、ＧＦを使用した。また、各サンプルａ、ｂ、ｃ、ｄは、JIS  に基づく試験片とした。
【表１】
2009058007.tif 000003
【００４３】
表１と図３に示すように、引っ張り強度比率（強化材を充填していないサンプルに対する比率）は、サンプルａでは１であり、サンプルｂでは１．４であり、サンプルｃでは１．６であり、サンプルｄでは２．１であった。このように、充填率が高くなるほど引っ張り強度が増加する。
【００４４】
次に実施例２を示す。この場合、従来の複列アンギュラ玉軸受に使用される標準玉数（１１個）と、この標準玉数よりも１個だけボールを増加させた場合の保持器の強度を比較した。その結果を次の表２に示す。表２は、標準玉数で強化材を充填していないサンプルを１とした場合の強度である。
【表２】
2009058007.tif 000004
【００４５】
標準玉数で強化材を１０重量％で充填した場合、標準玉数では強化材を充填していない場合と同じであり、１個だけボールを増加させれば、標準玉数では強化材を充填していないものの０．８８〜０．９２となった。標準玉数で強化材を２５重量％で充填した場合、標準玉数では強化材を充填していない場合と同じであり、１個だけボールを増加させれば、強化材を充填していないものの０．８８〜０．９２となった。標準玉数で強化材を２５重量％で充填した場合、１個だけボールを増加させれば、標準玉数で強化材を１０重量％で充填したものの１．６７〜１．７８となった。標準玉数で強化材を５０重量％で充填した場合、１個だけボールを増加させれば、標準玉数で強化材を２５重量％で充填したものの１．１９〜１．２４となった。
【００４６】
このように、標準玉数での強化添加剤（樹脂強化材）１０重量％であれば、３０重量％の強化添加剤を充填することで、標準玉数の保持器強度以上となり、強度低下を防ぐことが可能となる。また、標準玉数での強化添加剤が２５重量％であれば、５０重量％の強化添加剤を充填することで、標準玉数の保持器強度以上となり、強度低下を防ぐことが可能となる。
【図面の簡単な説明】
【００４７】
【図１】本発明の実施形態を示す円すいころ軸受の断面図である。
【図２】前記図１の円すいころ軸受を使用したデファレンシャル装置の要部断面図である。
【図３】強化材充填率と引っ張り強度比率の関係を示すグラフ図である。
【図４】従来の円すいころ軸受の断面図である。
【図５】従来の円すいころ軸受を用いたデファレンシャル装置の要部断面図である。
【符号の説明】
【００４８】
１１ａ、１１ｂ  軌道面
１２      内輪
１３ａ、１３ｂ  軌道面
１４      外輪
１５，１６  玉群
１９，２０  保持器
２７，２８  ボール
３０，３１  ポケット
５１      デファレンシャルケース
５２    差動減速機構
５３    リングギヤ
５４    ピニオンギヤ
５５    ピニオン軸
【図１】
2009058007.tif 000005
【図２】
2009058007.tif 000006
【図３】
2009058007.tif 000007
【図４】
2009058007.tif 000008
【図５】
2009058007.tif 000009